(57)【特許請求の範囲】
【請求項１】
幅と長さと厚さを有し、前記長さの方向の一方の端部に位置する端面にバッテリー側接続端子を配したバッテリー装置を収納可能であって、前記幅と前記長さに略等しい形状の底面と、前記底面から所定の高さで立ち上がる側面で構成される凹部からなるバッテリー収納部と、前記バッテリー収納部の前記底面と反対側の面に摺動可能に支持されるスライド部材と、
前記バッテリー収納部の長さ方向の一方の端部に位置する側面にあって、前記バッテリー装置を前記バッテリー収納部に挿入することにより前記バッテリー装置の前記バッテリー側接続端子に接続される位置に設けられた本体側接続端子と、
前記スライド部材に設けられ、前記凹部を構成する底面を貫通して前記バッテリー収納部内に突出すると共に前記バッテリー装置に設けた係合凸部と係合可能とされた１以上の係合爪と、前記１以上の係合爪を前記本体側接続端子から長さ方向に離れる側に付勢して前記係合凸部と係合させる付勢部材と、
を備えた
電子機器。
【請求項２】
前記バッテリー収納部に、挿入された前記バッテリー装置を付勢することにより前記係合爪と前記係合凸部との係合が解除された後にも当該バッテリー装置を保持する保持手段をさらに備えた
請求項１記載の電子機器。
【請求項３】
前記保持手段は、装着された前記バッテリー装置の前記接続端子が設けられた面の反対側の面に弾性的に接触するゴム、合成樹脂、板ばね、コイルばねの弾性保持部材である
請求項２記載の電子機器。
【請求項４】
前記バッテリー収納部の前記本体側接続端子と長さ方向の反対側に、前記バッテリー装置を装着する際に、当該バッテリー装置に加えられる長さ方向の押圧力に基づいて当該バッテリー装置を本体側接続端子側にガイドするガイド部をさらに備えた
請求項１記載の電子機器。
【請求項５】
前記１以上の係合爪は、前記バッテリー装置の長さ方向に所定の間隔をあけて設けられ且つ前記バッテリー装置に設けた２つの係合凸部と個別に係合される第１の係合爪と第２の係合爪とからなり、
前記第１の係合爪及び前記第２の係合爪は、前記バッテリー装置の長手方向の一辺を回動中心として前記バッテリー装置を回動させてバッテリー収納部に挿入する際、前記本体側接続端子に近い側に配置された前記第１の係合爪が、前記本体側接続端子から遠い側に配置された前記第２の係合爪よりも先に前記バッテリー装置の前記係合凸部と接触する
請求項１記載の電子機器。
【請求項６】
前記１以上の係合爪は、左右対称に配置されると共に前記バッテリー装置の長さ方向に所定の間隔をあけて設けられ且つ前記バッテリー装置に設けた４つの係合凸部と個別に係合される２組の第１の係合爪と第２の係合爪との組み合わせからなる
請求項５記載の電子機器。
【発明の詳細な説明】
【技術分野】
【０００１】
本発明は、駆動電源であるバッテリー装置が着脱可能に構成された電子機器に関するものである。
【背景技術】
【０００２】
従来の、この種の電子機器としては、例えば、特許文献１に記載されているようなものがある。特許文献１には、電子機器の駆動電源であるバッテリーを電子機器に装着した状態でロックすると共にそのロックを解除するバッテリーロック機構に関するものが記載されている。この特許文献１に記載された電子機器のバッテリーロック機構は、「電子機器の背面側に設けられ、バッテリーが着脱自在に装着されるバッテリー装着部と、前記バッテリー装着部の裏面側に沿って配置され、その一部が前記バッテリー装着部のバッテリー装着面に突出し、前記バッテリー装着部に装着された前記バッテリーに係合してこれをロックするロック部材と、前記バッテリー装着部のバッテリー装着面と直交する方向にスライド可能に配置され、前記ロック部材と係合して前記バッテリーのロックを解除するロック解除部材と、を備え、前記ロック部材と前記ロック解除部材がＬ字状に配置されて構成される」ことを特徴としている。
【０００３】
このような構成を有する電子機器のバッテリーロック機構によれば、「バッテリーロック機構を電子機器の外装ケースと内部構造部との間の僅かな隙間に配置できるので、電気機器の一層の小型化に貢献できる（明細書の段落［０００５］）」等の効果が期待される。
【０００４】
また、従来のこの種の電子機器の他の例としては、例えば、特許文献２に記載されているようなものもある。特許文献２には、バッテリー装置及びそのバッテリー装置により動作する電子機器に関するものが記載されている。この特許文献２に記載された電子機器は、「バッテリー装置が収容されるバッテリー収容室を有する電子機器であって、前記バッテリー装置は、幅と厚さと長さを有するケースと、前記ケースの内部に設けられた充電池部と、前記ケースの表面に設けられ前記充電池部に接続されたバッテリー側端子とを備え、前記バッテリー収容室は、前記ケースの幅方向に対応する幅と、前記ケースの厚さに対応する高さと、前記ケースの長さに対応する深さと、前記バッテリー装置が前記長さ方向を前記深さ方向に平行させて挿入された状態で前記バッテリー側端子に接触する収容室側端子とを備え、前記バッテリー装置のケースの前記幅方向の両側箇所には前記長さ方向に延在するガイド溝が設けられ、前記バッテリー収容室には、前記ガイド溝に係合し該バッテリー収容室内において前記高さ方向における前記ケースの厚さ方向の位置を位置決めする突起が設けられている」ことを特徴としている。
【０００５】
このような構成を有する電子機器によれば、「ケースの高さが異なる、すなわち容量が異なる複数種類のバッテリー装置をバッテリー収容室に収容することができる（明細書の段落［０００５］）。」という効果が期待される。
【０００６】
しかしながら、特許文献１に記載された電子機器（第１の従来例）のバッテリーロック機構の場合には、電子機器の背面側に設けたバッテリー装着部が背面側と下面側とに開口されていて、バッテリー装着部に対して、バッテリーを下方若しくは斜め下方から差し込み、或いはバッテリーを下方若しくは斜め下方へ引き抜くことにより、バッテリーの着脱作業を行うことができるようになっていた。図２１は、この特許文献１に係る電子機器のバッテリー装着構造を説明するための説明図である。
【０００７】
バッテリー装着部１０１は、電子機器１００の背面の下部に、バッテリー３００の大きさに対応した略同一の大きさを有する凹部として形成されている。このバッテリー装着部１０１の底面である電子機器１００の背面１００ａには、バッテリー３００の係合凸部３０１に係合することにより、当該バッテリー３００を係合保持するために爪部を下向きに突出させた係合爪１０２が縦方向に２個ずつ２列に配置されて合計４個設けられている。更に、電子機器１００の底面１００ｂには、バッテリー装着部１０１に装着されたバッテリー３００の脱落を防止するストッパ部材１０３が設けられている。ストッパ部材１０３は、電子機器１００の前後方向にスライド可能とされると共に、その背面から所定の長さだけ突出可能とされており、その突出した状態において、その突出部がバッテリー３００の下部に位置して、バッテリー３００の下方への脱落を防止している。
【０００８】
これにより、第１の従来例においては、ストッパ部材１０３と、このストッパ部材１０３をスライド動作させるための機構とが必要になるばかりでなく、ストッパ部材１０３が電子機器１００の底面１００ｂに露出されていることから、ストッパ部材１０３が誤って操作されることがあり、その場合には、バッテリー３００が自重によりバッテリー装着部１０１から抜け出して落下するおそれがあった。また、一般に、電子機器１００の底面１００ｂには三脚用の取付ねじ部が設けられているが、三脚に取り付けた状態の電子機器１００においては、ストッパ部材１０３をスライド動作させるための操作が不能であるか、又は著しく困難であることが多いという問題があった。
【０００９】
また、特許文献２に記載された電子機器（第２の従来例）の場合には、電子機器の背面側に設けたバッテリー収容室が背面側のみに開口されていて、そのバッテリー収容室に対して、バッテリーを側方から差し込むと共に、同じくバッテリーを側方へ引き抜くことにより、バッテリーの着脱作業を行うことができるようになっていた。図２２は、この特許文献２に係る電子機器のバッテリー装着構造を説明するための説明図である。
【００１０】
バッテリー収容室１１１は、電子機器１１０の背面の中間部に、バッテリー３００の長さより少し大きい凹部として形成されている。このバッテリー収容室１１１は、幅方向の長さはバッテリー３００の幅に対応する長さとされているが、その長手方向の長さはバッテリー３００の長さより少し長く形成されている。更に、バッテリー収容室１１１の底面である電子機器１１０の背面１１０ａには、バッテリー３００を係合保持するために爪部を上向きに突出させた係合爪１１２が縦方向に２個ずつ２列に配置されて合計４個設けられている。
【００１１】
このバッテリー収容室１１１に対するバッテリー３００の着脱作業は、例えば、次のようにして行われていた。バッテリー３００の取り付け作業は、まず、バッテリー収容室１１１の上部にバッテリー３００を側方から移動させて嵌め込む。次に、バッテリー収容室１１１内においてバッテリー３００を下方へ距離Ｓだけスライドさせ、バッテリー３００の４個の係合凸部３０１を、バッテリー収容室１１１内の４個の係合爪１１２に係合させる。これにより、４個の係合爪１１２と係合凸部３０１の噛み合いによってバッテリー３００が、バッテリー収容室１１１の下部に係合保持され、バッテリー３００の脱落が防止される。一方、バッテリー３００の取り外し作業は、バッテリー３００の取り付け作業と反対の動作によって実行され、バッテリー３００を上方へスライドさせて４個の係合爪１１２と係合凸部３０１の噛み合いを解除した後、バッテリー３００を側方へ引き抜くことにより簡単に取り出すことができる。
【００１２】
しかしながら、第２の従来例の場合には、バッテリー収容室１１１内においてバッテリー３００を上下方向へ距離Ｓだけスライドさせる必要があった。そのため、バッテリー収容室１１１の長さがバッテリー３００のスライド分だけ長くなり、そのバッテリー収容室１１１の長さが長くなった分だけ電子機器の高さが高くなり、電子機器１１０全体の大型化を招いているという問題があった。
【特許文献１】特開２００５−１９０７３１号公報
【特許文献２】特開２００５−１９０９２９号公報
【発明の開示】
【発明が解決しようとする課題】
【００１３】
解決しようとする問題点は、従来の電子機器においては、ストッパ部材１０３が誤って操作された場合には、バッテリー３００が自重によりバッテリー装着部１０１から抜け出して落下するおそれがあり、また、電子機器１００を三脚に取り付けた状態では、ストッパ部材１０３のスライド操作が不能か又は著しく困難になるという点である。更に、従来の電子機器では、バッテリー収容室１１１の長さが長くなった分だけ電子機器の高さが高くなり、電子機器１１０全体の大型化を招いているという点である。
【課題を解決するための手段】
【００１４】
本出願の電子機器は、幅と長さと厚さを有し、長さの方向の一方の端部に位置する端面にバッテリー側接続端子を配したバッテリー装置を収納可能であって、幅と長さに略等しい形状の底面と、その底面から所定の高さで立ち上がる側面で構成される凹部からなるバッテリー収納部と、そのバッテリー収納部の底面と反対側の面に摺動可能に支持されるスライド部材と、バッテリー収納部の長さ方向の一方の端部に位置する側面にあって、バッテリー装置をバッテリー収納部に挿入することによりバッテリー装置のバッテリー側接続端子に接続される位置に設けられた本体側接続端子と、スライド部材に設けられ、凹部を構成する底面を貫通してバッテリー収納部内に突出すると共にバッテリー装置に設けた係合凸部と係合可能とされた１以上の係合爪と、１以上の係合爪を本体側接続端子から長さ方向に離れる側に付勢して係合凸部と係合させる付勢部材と、を備えたものである。
【発明の効果】
【００１５】
本出願の電子機器によれば、バッテリー収納部をバッテリーに対応した大きさにしてバッテリーをスライド動作することなく、バッテリー収納部に対してバッテリーを取り付け、取り外しすることができると共に、電子機器全体の小型化、軽量化を図ることができる電子機器を提供することができる。
【発明を実施するための最良の形態】
【００１６】
電子機器に対するバッテリー装置の取り付け、取り外し操作を簡単に行うことができると共に、装置全体の小型化、軽量化を図ることができる電子機器を、簡単な構造によって実現した。
【００１７】
図１〜図２０は、本発明の実施の形態の例を示すものである。即ち、図１乃至図４は本発明の電子機器の第１の実施の例を示すデジタルビデオカメラの正面側から見た斜視図、裏面側から見た斜視図、正面図及び背面図、図５乃至図８はバッテリー装着装置の分解斜視図、正面図、正面側から見た斜視図及び背面側から見た斜視図、図９乃至図１２はバッテリー収納部にバッテリー装置を装着する状態を示すそれぞれ説明図、図１３乃至図１６は本発明の電子機器の第２の実施の例を示すデジタルビデオカメラの正面側から見た斜視図、裏面側から見た斜視図、バッテリー装置の着脱操作のそれぞれ説明図、図１７は背面側の要部を示す説明図、図１８は一部を断面した底面図である。また、図１９Ａ，Ｂ及び図２０Ａ，Ｂ，Ｃ及びＤは、本発明の電子機器に係るバッテリー装置の第１の実施の例を示すもので、斜視図、正面図、平面図、底面図、左側面図及び右側面図である。
【実施例１】
【００１８】
まず、本発明の電子機器に係る撮像装置に使用して好適なバッテリー装置の第１の実施の例について、図１９Ａ，Ｂ及び図２０Ａ〜Ｄを参照して説明する。バッテリー装置１は、ケース２と、そのケース２の内部に設けた図に現れない充電電池部及び制御回路基板と、ケース２に設けたバッテリー側の接続端子３等を備えて構成されている。ケース２は、長手方向の寸法がＬで、幅方向の寸法がＷで、高さ方向の寸法がＨである略直方体をなすブロック状の装置として構成されている。このケース２は、一面に開口された本体部４と、この本体部４の開口部を閉じるベース部５とで構成されている。そして、ベース部５の長手方向の一端の短辺の略中央部に接続端子３が設けられている。
【００１９】
バッテリー装置１の本体部４は、開口された面と反対側の面の幅方向の両側を、その長辺に沿って円弧状に丸めた偏平のドーム型に形成されている。この本体部４の空間内に、１以上の電池セルを有する充電池部と、ＣＰＵやＲＡＭ及びＲＯＭ、インターフェース等を含むマイクロコンピュータを有する制御回路基板等が収納されている。充電池部と制御回路基板とは、互いに電気的に接続されていると共に、接続端子３とも接続されていて、外部の電子機器との間で、バッテリー容量や特性等の情報をデータ通信可能に構成されている。
【００２０】
バッテリー装置１のベース部５の幅方向の両側には、電子機器のバッテリー収納部に設けられた係合爪と係合してバッテリー収納部内で厚さＨの方向における位置決めをなすガイド溝６，６が長手方向に連続して設けられている。左右のガイド溝６，６は、左右対称の形状とされており、各ガイド溝６には、長手方向に適宜な間隔をあけて切欠きを設けることにより、係合凸部の具体例を示す３つの凸片（係合凸部）７Ａ，７Ｂ，７Ｃが設けられている。３つの凸片７Ａ，７Ｂ，７Ｃの接続端子３と反対側には、それぞれ幅方向の外側に突出する凸部８Ａ，８Ｂ，８Ｃが設けられている。
【００２１】
３つの凸部８Ａ，８Ｂ，８Ｃのうち、接続端子３に近い第１の凸部８Ａと、中間に位置する第２の凸部８Ｂは、第１の凸片７Ａ及び第２の凸片７Ｂよりも小さい突出寸法にてそれぞれ形成されている。これに対して、接続端子３から最も遠い位置にある第３の凸部８Ｃは、第３の凸片７Ｃと同じ突出寸法にて形成されている。更に、ベース部５の接続端子３と反対側の辺には、幅方向の全長に渡って階段状に凹んだ段状凹部が設けられている。
【００２２】
接続端子３には、内部に電極が配置された複数の電極用スリット９，９と、これら複数の電極用スリット９の両側に配置された２つの位置決め用スリット１０，１０が設けられている。これら電極用スリット９及び位置決め用スリット１０は、ベース部５の角部において正面から底面にかけて連続する溝状のスリットとして形成されている。更に、ベース部５の接続端子３の一側には、このバッテリー装置１を識別するための識別部１１が設けられている。
【００２３】
次に、図１〜図１２を参照して、本発明の電子機器の具体例を示す撮像装置の第１の実施例として適用したデジタルビデオカメラ２０について説明する。このデジタルビデオカメラ２０は、磁気テープを有するテープカセットを情報記憶メディアとして使用し、光学的な画像を撮像手段の一具体例を示すＣＣＤ（固体撮像素子）で電気的な信号に変換して、その画像情報を磁気テープに記録したり、液晶ディスプレイ等の平面パネルからなる表示装置に表示できるようにしたものである。
【００２４】
しかしながら、本発明の電子機器の具体例を示す撮像装置に使用される情報記憶媒体としては、この実施例で示す磁気テープに限定されるものではなく、例えば、ＤＶＤ−Ｒ、ＤＶＤ−ＲＷ、ＤＶＤ−ＲＡＭ、ＭＯ、ＦＤその他の記録可能な光ディスク、光磁気ディスク、磁気ディスク等のディスク状記録媒体を用いることができる。これらのディスク状記録媒体を使用する電子機器としては、例えば、光ディスクを用いる場合には光ディスク式ビデオカメラとして適用することができ、光磁気ディスクを用いる場合には光磁気ディスク式スチルカメラとして適用可能であり、また、磁気ディスクを用いる場合には磁気ディスク式電子手帳として実現することができる。
【００２５】
デジタルビデオカメラ２０は、外観形態を構成する筐体からなるケース本体の一具体例を示す外装ケース２１と、この外装ケース２１の内部に収納されると共に着脱自在に装着されるテープカセットの磁気テープを走行駆動して情報信号の記録（書き込み）及び再生（読み出し）を行うテープドライブ装置と、このテープドライブ装置の駆動制御等を行う制御回路と、被写体の像を光として取り込んでＣＣＤに導くレンズ装置２２と、外装ケース２１に回動自在に取り付けられた表示装置２３等を備えて構成されている。
【００２６】
図１〜図４に示すように、外装ケース２１は、略直方体をなす中空の筐体からなり、長手方向を前後方向に設定すると共に幅方向に立ち上げたような状態で使用されている。この外装ケース２１の上部に、レンズ系の撮像レンズである対物レンズ２４を正面に露出させた状態でレンズ装置２２が配設されている。レンズ装置２２は、そのレンズ系の光軸を水平方向に向けた状態で外装ケース２１に取り付けられている。図示しないが、外装ケース２１の内部において、レンズ装置２２の後部にＣＣＤが取り付けられている。そして、レンズ装置２２の後方に、そのレンズ装置２２から入力された被写体の画像を写し出すビューファインダ装置２５が配置されている。
【００２７】
外装ケース２１の上部には、ビデオライトや外付けマイクロホン等のアクセサリーが着脱自在に装着されるアクセサリーシューを露出させる開口部が設けられている。アクセサリーシューはビューファインダ装置２５の直前に配置されており、通常は、開口部を開閉するシューキャップ２７によって着脱可能に覆われている。また、外装ケース２１の前面には、フラッシュ装置の発光部２８と、ステレオ方式の内蔵されたマイクロホン２９等が配置されている。
【００２８】
図１に示すように、外装ケース２１の一方の側面には、表示装置２３が姿勢変更可能に取り付けられている。表示装置２３は、図示しない平板状の液晶ディスプレイ等からなる平面パネルと、この平面パネルが収納されたパネルケース３１と、このパネルケース３１を外装ケース２１に対して姿勢変更可能に支持するパネル支持部３２とから構成されている。パネル支持部３２は、垂直軸を回動中心としてパネルケース３１を水平方向に略９０度回動可能とした水平回動部と、水平軸を回動中心としてパネルケース３１を前後方向に略１８０度回動可能とした前後回動部とを有している。
【００２９】
これにより、表示装置２３は、図１に示すように外装ケース２１の側面に収納した収納状態と、パネルケース３１を９０度回動させて平面パネルを後方へ対向させた状態と、その状態からパネルケース３１を１８０度回動させて平面パネルを前方へ対向させた状態と、それらの中間位置の状態とを任意に取ることができるようになっている。この表示装置２３の上方の外装ケース２１の側面には、複数の操作ボタンからなる操作部３３が設けられている。
【００３０】
図２に示すように、外装ケース２１の表示装置２３と反対側の側面には、テープカセットが着脱可能に装着されるテープデッキを開閉自在に覆うデッキカバー３４が開閉可能に設けられている。テープデッキは、装着されたテープカセットを所定位置に搬送すると共に、磁気テープを引き出して回転ドラム等にローディングした後、その磁気テープを所定速度で走行させて情報信号の記録（書き込み）及び／又は再生（読み出し）を行う装置である。このテープデッキを覆うデッキカバー３４には、モード選択スイッチを兼ねる電源スイッチ３５と、静止画の撮影を行うシャッタボタン３６と、所定の範囲内で画像を連続的に拡大（テレ）又は縮小（ワイド）させるズームボタン３７と、デッキカバー３４のロックとそのロック解除を行う開閉スイッチ３８と、動画撮影を行う録画ボタン３９等が設けられている。
【００３１】
電源スイッチ３５は、回動操作によって電源をオン・オフ切り換える機能と、電源をオンした状態で回動操作することにより複数の機能モードを繰り返すように切り換える機能とを有している。更に、デッキカバー３４にはハンドベルト４１が取り付けられていて、そのハンドベルト４１にはハンドパッド４２が装着されている。ハンドベルト４１及びハンドパッド４２は、外装ケース２１を握るユーザーの手を支え、デジタルビデオカメラ２０の取り落とし等を防止するものである。
【００３２】
図２及び図４に示すように、外装ケース２１の背面には、携帯用電源であるバッテリー装置１が着脱可能に装着されるバッテリー収納部４４が設けられている。バッテリー収納部４４は、外装ケース２１の背面の略中央より下側に配置されていて、背面側に開口されている。外装ケース２１の背面のバッテリー収納部４４の右側に録画ボタン３９が配置され、左側にフラッシュ装置の発光ボタン４６とナイトショットの切換スイッチ４７が配置されている。
【００３３】
バッテリー収納部４４は、バッテリー装置１と略等しい大きさ（正確には、幅方向の長さは略等しいが、長手方向の長さは、バッテリー装置１の長さに、その長手方向一端の一辺を回動中心としてバッテリー装置１を回動させて凹部４５内に収納可能とするための隙間を加えた長さ）を有する長方形の凹部４５を備えており、その凹部４５は、長手方向を上下方向に向けて設けられている。即ち、凹部４５は、バッテリー装置を収納可能であって、そのバッテリー装置の幅と長さに略等しい形状の底面と、その底面から所定の高さで立ち上がる側面で構成されている。このバッテリー収納部４４の凹部４５内には、上下方向に移動可能とされた第１の係合爪５１と第２の係合爪５２との組み合わせからなる２組で合計４つの係合爪５１，５２と、２つの凸部５３，５３と、２つの位置決め凸部５４，５４と、バッテリー装置１を弾性的に支持する弾性保持部材５５と、バッテリー装置１の接続端子３と電気的に接続可能とされた電子機器側の本体側接続端子５６等が設けられている。
【００３４】
図４及び図８に示すように、２組合計４つの係合爪５１，５２は、凹部４５内の幅方向両側の長辺に沿った位置で長手方向の中途部に所定の間隔をあけて配置されている。更に、凹部４５の下端の両角部には、凸部５３がそれぞれ配置されている。これら２つの凸部５３，５３の間の略中間部に本体側接続端子５６が配置されている。本体側接続端子５６は、バッテリー装置１の接続端子３と対応する形状及び構造を有している。即ち、本体側接続端子５６は、バッテリー装置１の接続端子３の電極の数に対応した数の電極であって、端子用スリット９にそれぞれ挿入可能とされた電極５７と、バッテリー装置１の２つの位置決め用スリット１０，１０に挿入可能とされた２つの凸片５８とを有している。
【００３５】
この本体側接続端子５６と対向するように、凹部４５の上端の短辺の内面には、バッテリー収納部４４内に収納されたバッテリー装置１を保持する保持手段である弾性保持部材５５が設けられている。この弾性保持部材５５は、バッテリー収納部４４内に挿入されたバッテリー装置１をゴムやバネ等の弾性力で付勢して弾性的に保持することにより、スライド部材６２の４つの係合爪５１，５２とバッテリー装置１の４つの凸片７Ｂ，７Ｃとの係合が解除された後にもバッテリー装置１を弾性的に保持して、バッテリー装置１が不用意に脱落するのを防止することを主な目的とするものである。
【００３６】
この弾性保持部材５５としては、例えば、ゴム又は弾性を有するプラスチック等のゴム状弾性体が好適であり、これらの材料でプレート状に形成し、凹部４５の内面に接着剤を用いて固定するようにする。しかしながら、弾性保持部材５５としては、この実施例のものに限定されるものではなく、例えば、板状とすることなく、棒状に形成して凹部４５の上辺の中央部に固定する構成としてもよい。更に、弾性保持部材５５の材質についても、ゴム又はプラスチックに限定されるものではなく、例えば、板バネやコイルバネは勿論のこと、ばね性を有する線材等を用いることもできるものである。
【００３７】
更に、弾性保持部材５５の設定位置についても、この実施例のものに限定されるものではなく、例えば、この実施例の設定位置に加えて、その設定面の両側に連続する左右側面を含む合計３箇所に設置する構成とすることもできる。
【００３８】
また、凹部４５内において、本体側接続端子５６から遠い側に位置する２つの第２の係合爪５２，５２の上方には、それぞれ位置決め凸部５４が設けられている。これらの位置決め凸部５４，５４は、バッテリー収納部４４内に差し込まれたバッテリー装置１の左右方向の傾きやずれを規制して、その接続端子３を本体側接続端子５６と電気的に完全に接続させる等を目的とするものである。
【００３９】
図５〜図８は、バッテリー収納部４４を構成する構成部品等を示すものである。このバッテリー収納部４４は、外装ケース２１の一部を構成するリアパネル６１と、このリアパネル６１の内面において上下方向へスライド可能に取り付けられたスライド部材６２と、このスライド部材６２をリアパネル６１に摺動可能に支持する支持プレート６３と、スライド部材６２を本体側接続端子５６から離れる方向に付勢する付勢部材の一具体例を示すコイルばね６４等を備えて構成されている。
【００４０】
リアパネル６１は、外装ケース２１の背面の開口部を覆うパネルであり、前記凹部４５と、前記録画ボタン３９等が貫通されるスイッチやボタン等のための必要な穴の他、スライド部材６２を上下方向へスライド動作させる操作部を露出させるための通し穴６５が設けられている。通し穴６５は、リアパネル６１の凹部４５の上側であって、その凹部４５の幅方向の略中央部に配置されている。このリアパネル６１の凹部４５の底面６１ａの４箇所に、前述した２組で合計４つの係合爪５１，５２がそれぞれ貫通される４つの貫通穴６６Ａ，６６Ｂが設けられている。各貫通穴６６Ａ，６６Ｂは、係合爪５１又は係合爪５２がそれぞれ上下方向へ所定距離を移動できるように上下方向に延在された長穴として形成されている。
【００４１】
更に、リアパネル６１の凹部４５の下辺の略中央部には、本体側接続端子５６が嵌合される嵌合穴６７が設けられている。そして、リアパネル６１の背面には、スライド部材６２を上下方向にガイドして直線的にスライド動作させるために複数のガイドピン６８が設けられている。
【００４２】
スライド部材６２は、図５〜図７に示すような構成を有している。スライド部材６２は、凹部４５の底面よりも小さい略長方形の板体からなるスライド部６２ａと、このスライド部６２ａの上辺に連続して上方へ突出させて設けた操作部６２ｂとからなっている。このスライド部６２ａの一面に、４つの係合爪５１，５２が立設されている。これら４つの係合爪５１，５２は、バッテリー装置１の４つの凸片７Ｂ，７Ｃと対応するように配置され、互いの先端部が着脱可能に係合されるように形成されている。即ち、４つの係合爪５１，５２は、上下方向に直列的に配置された第１の係合爪５１と第２の係合爪５２とで一つの組が形成され、その２組を左右対称に設けることによって所定位置に配置されている。
【００４３】
このような２組合計４つの係合爪５１，５２のうち、第１の係合爪５１とバッテリー装置１の中央に位置する第２の凸片７Ｂとの間、及び第２の係合爪５２とバッテリー装置１の接続端子３から最も離れたところに位置する第３の凸片７Ｃとの間には、図９Ａ，Ｂ〜図１２Ａ，Ｂに示すような関係を持たせるように構成することが好ましい。
【００４４】
即ち、第１の係合爪５１の先部に設けた上方に突出する爪部には、その外面には先端に近づくに従ってスライド部６２ａとの距離が短くなるように傾斜した外側傾斜面５１ａを設け、その内面には先端に近づくに従ってスライド部６２ａとの距離が長くなるように傾斜した内側傾斜面５１ｂを設ける。これに対して、第１の係合爪５１と着脱可能に係合されるバッテリー装置１の第２の凸片７Ｂの先部に設けた平面方向に延在する爪部には、その外面には先端に近づくに従って底面との距離が離れるように傾斜した外側傾斜面７Ｂａを設け、その内面には適当な曲率半径を有する円弧からなる内側円弧面７Ｂｂを設ける。
【００４５】
更に、第２の係合爪５２の先部に設けた上方に突出する爪部には、その外面には先端に近づくに従ってスライド部６２ａとの距離が短くなるように傾斜した外側傾斜面５２ａを設け、その内面には先端に近づくに従ってスライド部６２ａとの距離が長くなるように傾斜した内側傾斜面５２ｂを設ける。これに対して、第２の係合爪５２と着脱可能に係合されるバッテリー装置１の第３の凸片７Ｃの先部に設けた平面方向に延在する爪部には、その外面には適当な曲率半径を有する円弧からなる外側円弧面７Ｃａを設け、その内面にも同様に適当な曲率半径を有する円弧からなる内側円弧面７Ｃｂを設ける。
【００４６】
そして、第１の係合爪５１の外側傾斜面５１ａ及び内側傾斜面５１ｂと、第２の凸片７Ｂの外側傾斜面７Ｂａ及び内側円弧面７Ｂｂとの関係は、後述するような位置関係或いは順序によって接触したり離れたりするように構成する。同様に、第２の係合爪５２の外側傾斜面５２ａ及び内側傾斜面５２ｂと、第３の凸片７Ｃの外側傾斜面７Ｃａ及び内側円弧面７Ｃｂとの関係も、後述するような位置関係或いは順序によって接触したり離れたりするように構成する。
【００４７】
また、スライド部材６２のスライド部６２ａには、コイルばね６４を収容するための長穴７１と、他の部品との干渉を避けるための開口窓７２と、スライド方向を規制する複数（この実施例では４つ）のガイド孔７３，７３を設けている。４つのガイド孔７３，７３は、リアパネル６１に設けた４つのガイドピン６８，６８と対応するように設けられており、組立時には、４つのガイド孔７３，７３に４つのガイドピン６８，６８がそれぞれ挿入される。これにより、各ガイド孔７３に各ガイドピン６８がガイドされて、ガイド孔７３の長さの範囲内でスライド部材６２がリアパネル６１に対して相対的に移動可能とされている。
【００４８】
スライド部材６２の長穴７１の長手方向の一側には、コイルばね６４の一端が着座されるスライド側のばね受け片７４が設けられている。また、長穴７１の長手方向の他側には、ばね受け片７４と対向するように設けたパネル側のばね受け部７５が挿入されている。ばね受け部７５は、リアパネル６１の背面に立設されており、このばね受け部７５とばね受け片７４との間にコイルばね６４が圧縮された状態で介在されている。このコイルばね６４のばね力によりスライド部材６２は、本体側接続端子５６から離れる方向に常に付勢されている。
【００４９】
スライド部材６２の操作部６２ｂは、スライド部６２ａの一辺からスライド方向に延在されたアーム片からなり、このアーム片の先端に入力凸部７７が設けられている。入力凸部７７は、４つの係合爪５１，５２と同方向に突出されており、リアパネル６１の凹部４５の上方に設けた操作穴７８を貫通して背面側に突出されている。
【００５０】
図５に示すように、支持プレート６３は、リアパネル６１との間でスライド部材６２を摺動可能に支持し、コイルばね６４の脱落を防止する。この支持プレート６３は、リアパネル６１よりは小さいが、スライド部材６２よりは大きく形成されており、固定ねじによって外装ケース２１に締付固定されている。この支持プレート６３の補強により、固定ねじによる固着手段によって外装ケース２１に締付固定されるリアパネル６１の組立による強度の補強が図られている。そのため、支持プレート６３には、複数の取付ブラケット７９ａや固定部７９ｂが設けられている。
【００５１】
このような構成を有するバッテリー収納部４４は、例えば、次のようにして組み立てることができる。まず、リアパネル６１の凹部４５内の嵌合穴６７と反対側の天面に弾性保持部材５５を、接着剤等の固着手段を用いて固定する。この弾性保持部材５５の取付作業は、以下の工程の途中であってもよく、また、組立完了後に行うようにしてもよい。
【００５２】
次に、図５に示すように、リアパネル６１の背面にスライド部材６２を臨ませると共に、このスライド部材６２を挟むように、その背面に支持プレート６３を配置する。そして、スライド部材６２のスライド部６２ａの一面に突出させた４つの係合爪５１，５２を、リアパネル６１の凹部４５内に設けた４つの貫通穴６６Ａ，６６Ｂに背面から貫通させる。これにより、図８に示すように、４つの係合爪５１，５２の先部がそれぞれ凹部４５内に突出され、各係合爪５１，５２の先端の内面と凹部４５の底面との間に所定の隙間が設定される。
【００５３】
これと同時に、リアパネル６１に設けた４つのガイドピン６８をスライド部材６２に設けた４つのガイド孔７３にそれぞれ貫通させる。更に、スライド部材６２の操作部６２ｂの先部に設けた入力凸部７７を、リアパネル６１の凹部４５の上側に設けた操作穴７８に貫通させる。これにより、図６及び図７に示すように、スライド部材６２がリアパネル６１に対して、ガイド孔７３の延在する方向の長さからガイドピン６８の直径を引いた長さ分だけ相対的に移動可能に保持される。
【００５４】
次に、リアパネル６１のばね受け部７５とスライド部材６２のばね受け片７４との間にコイルばね６４を介在させる。その後、支持プレート６３をスライド部材６２に重ね合わせ、固定ねじで支持プレート６３をリアパネル６１に締付固定する。これにより、支持プレート６３とリアパネル６１との間にスライド部材６２が摺動可能に支持される。そして、スライド部材６２は、コイルばね６４のばね力により、常に本体側接続端子５６が嵌合される嵌合穴６７から離れる方向に付勢される。これにより、バッテリー収納部４４の組立が完了し、外装ケース２１への組み立てが可能となる。
【００５５】
このようにして組み立てられるバッテリー収納部４４に対するバッテリー装置１の着脱作業は、例えば、次のようにして行うことができる。図９Ａ，Ｂ〜図１２Ａ，Ｂは、図１９及び図２０に示したバッテリー装置１を、この実施例に係るバッテリー収納部４４に取り付けたり、取り外したりする作業を説明する図である。即ち、図９Ａ，Ｂは、バッテリー装置１の挿入開始時の状態、図１０Ａ，Ｂは、バッテリー装置１の挿入途中の状態、図１１Ａ，Ｂは、バッテリー装置１の挿入完了時のロック状態、図１２Ａ，Ｂ，Ｃは、バッテリー装置１の取出開始時の状態、をそれぞれ示す説明図である。なお、図９〜図１２において、２つの係合爪５１，５２と２つの凸片７Ｂ，７Ｃとの関係は、左右対称に配置された２組の間では、その動作が同一であるため、一方の組の動作について説明し、他方の組の動作の説明は省略する。
【００５６】
まず、バッテリー装置１をバッテリー収納部４４に装着する場合について説明する。この場合は、図９Ａに示すように、バッテリー収納部４４の凹部４５の下辺にバッテリー装置１の接続端子３側の辺を臨ませる。そして、バッテリー装置１の幅方向の両側に設けたガイド６，６の端部を、凹部４５の下辺の両角部に設けた凸部５３，５３にそれぞれ引っ掛け、第１の凸片７Ａを凸部５３に係合させるようにする。このような係合状態において、凸部５３との接触部位を回動中心として、バッテリー装置１をバッテリー収納部４４に近づけるように回動する。この状態が、図９Ａに示す状態である。
【００５７】
この場合には、図９Ａ及び図９Ｂに拡大して示すように、バッテリー装置１の第２の凸片７Ｂが第１の係合爪５１に近づき、第２の凸片７Ｂの外側傾斜面７Ｂａが第１の係合爪５１の外側傾斜面５１ａに接触する。この状態から、更にバッテリー装置１を回動させて外側傾斜面７Ｂａを外側傾斜面５１ａに強く押付けることにより、コイルばね６４のばね力に抗して、第１の係合爪５１が押し下げられる。これにより、スライド部材６２の全体が下方に押し下げられる。
【００５８】
そして、図１０Ａに示すように、第２の凸片７Ｂの外側傾斜面７Ｂａの先端が第１の係合爪５１の外側傾斜面５１ａの先端に近づくと、図１０Ｂに拡大して示すように、バッテリー装置１の第３の凸片７Ｃが第２の係合爪５２に近づき、第３の凸片７Ｃの外側円弧面７Ｃａが第２の係合爪５２の外側傾斜面５２ａに接触する。この接触時には、第２の凸片７Ｂの外側傾斜面７Ｂａと第１の係合爪５１の外側傾斜面５１ａとの接触は解除され、第１の係合爪５１は第２の凸片７Ｂから離れる方向に移動している。
【００５９】
第３の凸片７Ｃの外側円弧面７Ｃａが第２の係合爪５２の外側傾斜面５２ａに接触した状態から、更にバッテリー装置１を回動させて外側円弧面７Ｃａで外側傾斜面５２ａを強く押圧することにより、コイルばね６４のばね力に抗して、第２の係合爪５２が下方へ押し下げられる。これにより、スライド部材６２の全体が下方に押し下げられ、外側円弧面７Ｃａが第２の係合爪５２の爪部の先端を乗り越えると、その先端が第３の凸片７Ｃの内側円弧面７Ｃｂ側に移動する。そして、更にバッテリー装置１を回動させると、コイルばね６４のばね力によってスライド部材６２が、本体側接続端子５６から離れる方向にスライドする。
【００６０】
これにより、第３の凸片７Ｃの内側円弧面７Ｃｂと第２の係合爪５２の内側傾斜面５２ｂが相対的に離れる方向に移動し、第３の凸片７Ｃが第２の係合爪５２の爪部の下側に入り込む。これと同時に、第２の凸片７Ｂが第１の係合爪５１の爪部の下側に入り込む。この状態が、図１１Ａ及び図１１Ｂに拡大して示す状態である。これにより、第１係合爪５１と第２の凸片７Ｂがしっかりと係合され、同時に、第２の係合爪５２と第３の凸片７Ｃもしっかりと係合されて、バッテリー装置１がバッテリー収納部４４にロックされる。
【００６１】
この際、図１１Ａに示すように、バッテリー装置１がバッテリー収納部４４に完全に挿入されると、バッテリー装置１の上端が弾性保持部材５５に接触し、その弾性保持部材５５を弾性変形させてバッテリー収納部４４内に入り込むことになる。その結果、バッテリー装置１には、弾性保持部材５５の弾性による付勢力が作用することになる。そのため、バッテリー装置１は、弾性保持部材５５の弾性力によってバッテリー収納部４４に一層強く保持されることになる。この場合には、仮に、誤操作によって係合爪５１，５２と凸片７Ｂ，７Ｃの係合状態が解除されたとしても、弾性保持部材５５の弾性力によってバッテリー装置１がバッテリー収納部４４に確実に保持され（いわゆる半解除の状態）るため、自重によってバッテリー装置１がバッテリー収納部４４から落下するのを防止することができる。
【００６２】
次に、バッテリー装置１をバッテリー収納部４４から取り出す（離脱）する場合について説明する。この場合は、リアパネル６１の凹部４５の上側に設けた操作穴７８から突出しているスライド部材６２の入力凸部７７を、ユーザーが手動操作によって開放側へ操作する。即ち、この実施例においては、ユーザーが入力凸部７７を、下方へ押し下げるように操作する。これにより、コイルばね６４のばね力に抗して、スライド部材６２が下方へ移動することになる。
【００６３】
この場合、第１の係合爪５１と第２の凸片７Ｂとの係合状態及び第２の係合爪５２と第３の凸片７Ｃとの係合状態は、前述した挿入時の動作と逆の動作となるが、この実施例においては、次に述べるような効果を奏することになる。即ち、図１２Ａ〜Ｃに示すように、第１の係合爪５１と第２の凸片７Ｂとの係合状態が解除され、次に、第２の係合爪５２と第３の凸片７Ｃとの係合状態が解除されることになる。このとき、第１の係合爪５１と第２の凸片７Ｂとの係合が解除された状態（図１２Ａ及び図１２Ｃの状態）では、まだ第２の係合爪５２と第３の凸片７Ｃとの係合状態が確保されている（図１２Ａ及び図１２Ｂの状態）ため、従来のように２つの係合片の係合が同時に解除されてバッテリー装置１が自重によって落下するおそれを無くすことができる。
【００６４】
図１２Ａ〜Ｃに示す状態から、更にスライド部材６２を押し下げて、両係合爪５１，５２の係合状態を共に解除することにより、バッテリー装置１の取り出し動作が可能となる。このとき、バッテリー装置１の係合爪５１，５２によるロック状態は解除されているが、バッテリー装置１は弾性保持部材５５によって弾性的に支持されているため、自重程度の外力によっては、バッテリー装置１がバッテリー収納部４４から落下するおそれはない。その一方、弾性保持部材５５によるバッテリー装置１の支持力は小さなものであるため、ユーザーがバッテリー装置１を引っ張ることにより、バッテリー収納部４４からバッテリー装置１を簡単に取り出すことができる。
【００６５】
このように、本実施例によれば、バッテリー収納部４４側の係合爪をスライドさせる構成としたため、バッテリー収納部４４の大きさがバッテリー装置１の大きさと略同一であるにも係わらず、長手方向の一辺を回動中心とする回動操作により、バッテリー収納部４４に対してバッテリー装置１を簡単且つ確実に出し入れすることができる。しかも、バッテリー収納部４４への収納後には、弾性保持部材５５によってバッテリー装置１が弾性的に保持されるため、誤操作等によってバッテリー装置１のロックが解除された場合にも、そのバッテリー装置１が自重等によって脱落するおそれを無くすことができる。
【００６６】
図１３〜図１８は、本発明の電子機器の第２の実施例を示すものである。この第２の実施例として示す電子機器は、前記第１の実施例と同じくデジタルビデオカメラに適用したものであるが、この第２の実施例に係るデジタルビデオカメラ２００と前記第１の実施例に係るデジタルビデオカメラ２０が異なるところは、バッテリー収納部４４０を横置きに設定したところである。そのため、デジタルビデオカメラ２００とデジタルビデオカメラ２０の外観形状は少々異なるが、各装置、機構において同一性を有するものである場合には、第１の実施例における符号に０を加えて表示し、また、同一部分には同一の符号を付して重複した説明を省略する。
【００６７】
図１３〜図１６に示すように、この実施例に係るデジタルビデオカメラ２００は、外装ケース２１０と、この外装ケース２１０の内部に収納されると共にハードディスクを回転駆動して情報信号の記録（書き込み）及び再生（読み出し）を行うディスクドライブ装置と、このディスクドライブ装置の駆動制御等を行う制御回路と、被写体の像を光として取り込んでＣＣＤに導くレンズ装置２２０と、外装ケース２１０に回動自在に取り付けられた表示装置２３０等を備えて構成されている。
【００６８】
外装ケース２１０は、略筒型をなす中空の筐体からなり、軸方向を前後方向に設定したような状態で使用されている。この外装ケース２１０の前部に、略同様の太さを有するレンズ装置２２０が配設されている。レンズ装置２２０は、そのレンズ系の光軸を水平方向に向けた状態で外装ケース２１０に取り付けられている。この外装ケース２１０の内部において、レンズ装置２２０の後部にＣＣＤが取り付けられている。そして、レンズ装置２２０の後方にビューファインダ装置２５０が配置されている。
【００６９】
外装ケース２１０の上部には、ビデオライトや外付けマイクロホン等のアクセサリーが着脱自在に装着されるアクセサリーシューを露出させる開口部が設けられている。アクセサリーシューはビューファインダ装置２５０の直前に配置されており、通常は、開口部を開閉するシューキャップ２７０によって着脱可能に覆われている。更に、外装ケース２１０の上面には、ステレオ方式の内蔵されたマイクロホン２９０が配置されている。また、レンズ装置２２０の前面には、フラッシュ装置の発光部２８０が配置されている。
【００７０】
図１３及び図１４に示すように、外装ケース２１０の一方の側面には、表示装置２３０が姿勢変更可能に取り付けられている。表示装置２３０は、平板状の液晶ディスプレイ等からなる平面パネル２３０ａと、この平面パネル２３０ａが収納されたパネルケース３１と、このパネルケース３１を外装ケース２１０に対して姿勢変更可能に支持するパネル支持部３２とから構成されている。パネル支持部３２は、垂直軸を回動中心としてパネルケース３１を水平方向に略９０度回動可能とした水平回動部と、水平軸を回動中心としてパネルケース３１を前後方向に略１８０度回動可能とした前後回動部とを有している。
【００７１】
これにより、表示装置２３０は、図１３に示すように外装ケース２１０の側面に収納した収納状態と、図１４に示すようにパネルケース３１を９０度回動させて平面パネル２３０ａを後方へ対向させた状態と、その状態からパネルケース３１を１８０度回動させて平面パネル２３０ａを前方へ対向させた状態と、それらの中間位置の状態とを任意に取ることができるようになっている。この表示装置２３０によって開閉される外装ケース２１０の側面に、複数の操作ボタンからなる操作部３３と、外部の電子機器や電子装置と接続するための接続具３３１が接続される複数の接続端子からなる接続端子部３３０が設けられている。この接続端子部３３０は、外装ケース２１０に回動自在に取り付けられた端子カバー蓋３３３によって開閉可能とされている。
【００７２】
また、図１５等に示すように、外装ケース２１０の表示装置２３０と反対側の側面には、この外装ケース２１０を把持するための把持部２１１が設けられている。この把持部２１１の後部に、モード選択スイッチを兼ねる電源スイッチ３５と、静止画の撮影を行うシャッタボタン３６と、所定の範囲内で画像を連続的に拡大（テレ）又は縮小（ワイド）させるズームボタン３７と、動画撮影を行う録画ボタン３９等が設けられている。更に、外装ケース２１０にはハンドベルト４１が取り付けられ、そのハンドベルト４１にはハンドパッド４２が装着されている。
【００７３】
図１４〜図１６に示すように、外装ケース２１０の背面には、携帯用電源であるバッテリー装置１が着脱可能に装着されるバッテリー収納部４４０が設けられている。このバッテリー収納部４４０は、外装ケース２１０の一部を構成するリアパネル６１０と、このリアパネル６１０の内面において上下方向へスライド可能に取り付けられたスライド部材６２０と、このスライド部材６２０をリアパネル６１０に摺動可能に支持する支持プレート６３０と、スライド部材６２０を本体側接続端子５６０から離れる方向に付勢する付勢部材の一具体例を示すコイルばね６４０等を備えて構成されている。
【００７４】
バッテリー収納部４４０は、前述した第１の実施例におけるバッテリー収納部４４と同様に、バッテリー装置１と略等しい大きさを有する長方形の凹部４５０を備えており、その凹部４５０は、長手方向を左右方向に向けて設けられている。このバッテリー収納部４４０の凹部４５０内に、左右方向に移動可能とされた第１の係合爪５１０と第２の係合爪５２０との組み合わせからなる２組の合計４つの係合爪５１０，５２０と、バッテリー装着用のガイド部５３０と、バッテリー装置１の接続端子３と接続されることにより電気的に接続可能とされた電子機器側の本体側接続端子５６０等が設けられている。
【００７５】
図１７及び図１８に示すように、２組で合計４つの係合爪５１０，５２０はスライド部材６２０に設けられており、凹部４５０内の幅方向両側の長辺に沿った位置で長手方向の中途部に所定の間隔をあけて配置されている。即ち、２組の係合爪５１０，５２０は上下方向へ対向するように配置され、バッテリー収納部４４０の底面となる凹部４５０の背面４５０ａに設けた２組で合計４つの貫通穴６６０Ａ，６６０Ｂに摺動可能に挿通されている。なお、４つの係合爪５１０，５２０は、前述した実施例の係合爪５１，５２と同様の構成を有している。
【００７６】
更に、凹部４５０の背面４５０ａの長手方向である左右方向の一側にガイド部５３０が設けられ、その反対側である左右方向の他側に本体側接続端子５６０が設けられている。ガイド部５３０及び本体側接続端子５６０は、共に幅方向である上下方向の略中央部に配置されており、ガイド部５３０には本体側接続端子５６０側に向うに従って高さが低くなるように傾斜した傾斜面５３０ａが設けられている。なお、凹部４５０の背面４５０ａには、バッテリー装置１を線接触で支えるスライド突条４５０ｂが設けられている。このスライド突条４５０ｂでバッテリー装置１を線接触にて支えることにより、摺動時の摩擦抵抗を軽減させるようにしている。
【００７７】
図１８に示すように、スライド部材６２０のスライド部６２０ａは、リアパネル６１０の背面に沿うように設けられている。このスライド部６２０ａの一面に４つの係合爪５１０，５２０が設けられ、その他面にばね受け片６２０ａが設けられている。このスライド部材６２０の背面には、リアパネル６１０にねじ止めされた支持プレート６３０が配置されており、これにより、スライド部材６２０の抜け防止が図られている。更に、支持プレート６３０には、コイルばね６４０の一端を支持するばね受け片６３０ａが設けられている。このばね受け片６３０ａとリアパネル６１０のばね受け片６２０ａとの間に、圧縮された状態でコイルばね６４０が介在されている。このコイルばね６４０のばね力により、スライド部材６２０が本体側接続端子５６０から離れる方向に、常時付勢されている。
【００７８】
図１６及び図１７に示すように、スライド部材６２０の操作部は底面側に延在されており、その先端に設けた入力凸部７７０が、外装ケース２１０の底面に露出されている。入力凸部７７０は、外装ケース２１０の底面に設けたすり鉢状の凹部２１２内に収納されている。これにより、入力凸部７７０の先端面が、外装ケース２１０の底面より下方へ突出することがないように考慮されている。この入力凸部７７０を、コイルばね６４０のばね力に抗してスライドさせることによりスライド部材６２０と一体に４つの係合爪５１０，５２０を、本体側接続端子５６０に近づける方向へ移動することができる。その後、入力凸部７７０を離すことにより、スライド部材６２０がコイルばね６４０のばね力によって本体側接続端子５６０から離れる方向に移動することになる。
【００７９】
このような構成を有する本願発明の第２の実施例に係る電子機器の第２の具体例を示すデジタルビデオカメラ２００においても、前記実施例で説明したデジタルビデオカメラ２０の場合と同様に、同様の作用を経て同様の効果を得ることができる。次に、この実施例に係るバッテリー装置１の着脱作業を、図１５及び図１６を用いて簡単に説明する。
【００８０】
バッテリー収納部４４０にバッテリー装置１を取り付ける場合は、バッテリー収納部４４０の凹部４５０に対してバッテリー装置１を横向きに対向させ、その接続端子３を本体側接続端子５６０に臨ませる。そして、図１５に示すように、バッテリー装置１の接続端子３側をバッテリー収納部４４０内に差し込む（矢印Ｆ１）。続いて、バッテリー装置１の接続端子３側と反対側をバッテリー収納部４４０内に押し込む（矢印Ｆ２）。これにより、図１４に示すように、バッテリー装置１をバッテリー収納部４４０に装着することができる。
【００８１】
この場合に、バッテリー装置１の接続端子３側と反対側をある程度押し込むと、バッテリー装置１の接続端子３側と反対側に位置するベース部５の角部が、凹部４５内に設けたガイド部５３０の斜面部５３０ａに当接する。この当接により、ガイド部５３０の斜面部５３０ａからバッテリー装置１に対して、そのバッテリー装置１を押し込む力の反力としてバッテリー装置１を本体側接続端子５６０側に移動させる押圧力が発生する。そこで、更に押圧力を強めてバッテリー装置１を押し込むことにより、ベース部５の角部が斜面部５３０ａにガイドされて滑るように移動し、図１８に示すように、バッテリー装置１が完全にバッテリー収納部４４０内に挿入される。
【００８２】
この際に、バッテリー装置１の４つの凸片７Ｂ，７Ｃとスライド部材６２０の４つの係合爪５１０，５２０との間に、前述したような動作が行われて互いに係合されることになる。これと同時に、バッテリー装置１の接続端子３と本体側接続端子５６０が互いに噛み合うことにより、バッテリー装置１とデジタルビデオカメラ２００が電気的に接続される。これにより、バッテリー装置１によってデジタルビデオカメラ２００に電力が供給されることになり、動画や静止画等の撮影等が可能となる。
【００８３】
一方、バッテリー収納部４４０からバッテリー装置１を取り外す場合は、図１６に示すように、外装ケース２１０の下面に配置されたイジェクトボタンであるスライド部材６２０の入力凸部７７０を、コイルばね６４０のばね力に抗して、本体側接続端子５６０側にスライドさせる。これにより、スライド部材６２０のスライド動作を介して、４つの係合爪５１０，５２０による４つの凸片７Ｂ，７Ｃのロック状態が解除され、バッテリー装置１が取り外し可能な状態となる。
【００８４】
そこで、バッテリー装置１の接続端子３と反対側の部分を持って凹部４５０内から引き出す。これにより、バッテリー装置１をバッテリー収納部４４０から簡単且つ迅速に取り出すことができる。このような本願発明の第２の実施例によれば、バッテリー装置１を横置きに収納する構成としたため、デジタルビデオカメラ２００の高さを低くすることができると共に、ビデオカメラのデザインを作成する過程において、デザインの自由度を向上させることができる。また、リリースボタンであるスライド部材６２０の入力凸部７７０のスライド操作だけでバッテリー装置１のロックを解除することができるため、バッテリー装置１の着脱操作を容易にして、使い勝手の向上を図ることができる。
【００８５】
更に、バッテリー収納部４４０にガイド部５３０を設けたことにより、バッテリー装置１の挿入動作及び離脱動作をスムースに行うことができる。しかも、挿入時においては、バッテリー装置１を所定位置に確実に収めることができ、接続端子３と本体側接続端子５６０が不完全な状態で接続されるのを防ぐことができる。
【００８６】
以上説明したように、本発明の電子機器によれば、電子機器側の係合爪を可動として、バッテリー装置をスライドしないで着脱できる構成としたため、バッテリー装置がスライドしない分だけ電子機器の高さ又は横幅等を小さくすることができ、電子機器全体の小型化を図ることができる。更に、リリースボタンであるスライド部材の入力凸部を所定範囲内で操作した状態では、一部の係合爪のみが解除され、他の係合爪の係合状態が維持されるため、不用意にバッテリー装置がバッテリー収納部から外れて脱落するおそれをなくすことができる。
【００８７】
本発明は、前述しかつ図面に示した実施の形態に限定されるものではなく、その要旨を逸脱しない範囲内で種々の変形実施が可能である。例えば、前記実施例では、撮像装置の具体例としてデジタルビデオカメラに適用した例について説明したが、アナログビデオカメラに適用できることは勿論のこと、電子スチルカメラ、パーソナルコンピュータ、電子辞書、ＤＶＤプレーヤ、カーナビゲーションその他各種の電子機器に適用できるものである。また、前記実施例においては、係合爪及びこれに係合される凸片として、４つの係合爪及び凸片を設けた例について説明したが、係合爪及び凸片は、それぞれが少なくとも１つ以上あればよく、収納時のバランスを考慮すると、左右対称に配置可能な偶数個設けることが好ましい。
【図面の簡単な説明】
【００８８】
【図１】本発明の電子機器の一実施例として撮像装置の第１の実施の例を示すデジタルビデオカメラを正面側から見た斜視図である。
【図２】本発明の電子機器の一実施例として撮像装置の第１の実施の例を示すデジタルビデオカメラを背面側から見た斜視図である。
【図３】図１に示したデジタルビデオカメラの正面図である。
【図４】図１に示したデジタルビデオカメラの背面図である。
【図５】図１に示したデジタルビデオカメラのバッテリー収納部を分解して示す説明図である。
【図６】図１に示したデジタルビデオカメラのバッテリー収納部を内側から見た説明図である。
【図７】図１に示したデジタルビデオカメラのバッテリー収納部を内側から斜めに見た説明図である。
【図８】図１に示したデジタルビデオカメラのバッテリー収納部を外側から斜めに見た説明図である。
【図９】本発明の電子機器に係るバッテリー収納部の動作を説明するもので、同図Ａはバッテリー装置の挿入開始時の説明図、同図Ｂは同図Ａの要部を拡大した説明図である。
【図１０】本発明の電子機器に係るバッテリー収納部の動作を説明するもので、同図Ａはバッテリー装置の挿入途中時の説明図、同図Ｂは同図Ａの要部を拡大した説明図である。
【図１１】本発明の電子機器に係るバッテリー収納部の動作を説明するもので、同図Ａはバッテリー装置のロック時の説明図、同図Ｂは同図Ａの要部を拡大した説明図である。
【図１２】本発明の電子機器に係るバッテリー収納部の動作を説明するもので、同図Ａはバッテリー装置の取出し時の説明図、同図Ｂ及び同図Ｃは同図Ａの要部を拡大したそれぞれ説明図である。
【図１３】本発明の電子機器の他の実施例として撮像装置の第２の実施の例を示すデジタルビデオカメラを正面側から見た斜視図である。
【図１４】本発明の電子機器の他の実施例として撮像装置の第２の実施の例を示すもので、表示装置等を開放したデジタルビデオカメラを背面側から見た斜視図である。
【図１５】本発明の電子機器の他の実施例として撮像装置の第２の実施の例を示すもので、デジタルビデオカメラを背面側から見てバッテリー装置の着脱動作を説明する説明図である。
【図１６】本発明の電子機器の他の実施例として撮像装置の第２の実施の例を示すもので、デジタルビデオカメラを背面下方から見てバッテリー装置の着脱動作を説明する説明図である。
【図１７】本発明の電子機器の他の実施例として撮像装置の第２の実施の例を示すデジタルビデオカメラのバッテリー収納部を拡大した説明図である。
【図１８】本発明の電子機器の他の実施例として撮像装置の第２の実施の例を示すデジタルビデオカメラのバッテリー収納部を断面した説明図である。
【図１９】本発明の電子機器に用いて好適なバッテリー装置を示すもので、同図Ａは底面側から見た斜視図、同図Ｂは正面図である。
【図２０】本発明の電子機器に用いて好適なバッテリー装置を示すもので、同図Ａは平面図、同図Ｂは底面図、同図Ｃは左側面図、同図Ｄは右側面図である。
【図２１】従来のバッテリー収納部の第１の例を示す説明図である。
【図２２】従来のバッテリー収納部の第２の例を示す説明図である。
【符号の説明】
【００８９】
１…バッテリー装置、  ３…接続端子、  ５…ベース部、  ６…ガイド溝、  ７Ａ，７Ｂ，７Ｃ…凸片（係合凸部）、  ７Ｂｂ，７Ｃｂ…内側円弧面、  ７Ｃａ…外側円弧面  ２０，２００…デジタルビデオカメラ（電子機器）、  ２１，２１０…外装ケース（ケース本体）、  ２２，２２０…レンズ装置、  ２３，２３０…表示装置、  ４４，４４０…バッテリー収納部、  ４５，４５０…凹部、  ５１，５１０…第１の係合爪、  ５１ａ，５２ａ，７Ｂａ…外側傾斜面、  ５１ｂ，５２ｂ…内側傾斜面、  ５２，５２０…第２の係合爪、  ５５…弾性保持部材（保持手段）、  ５６，５６０…本体側接続端子、  ６１，６１０…リアパネル、  ６２，６２０…スライド部材、  ６３，６３０…支持プレート、  ６４，６４０…コイルばね（付勢部材）、  ６６Ａ，６６Ｂ，６６０Ａ，６６０Ｂ…貫通穴、  ５３０…ガイド部
【図１】
0004725317.tif 000002
【図２】
0004725317.tif 000003
【図３】
0004725317.tif 000004
【図４】
0004725317.tif 000005
【図５】
0004725317.tif 000006
【図６】
0004725317.tif 000007
【図７】
0004725317.tif 000008
【図８】
0004725317.tif 000009
【図９】
0004725317.tif 000010
【図１０】
0004725317.tif 000011
【図１１】
0004725317.tif 000012
【図１２】
0004725317.tif 000013
【図１３】
0004725317.tif 000014
【図１４】
0004725317.tif 000015
【図１５】
0004725317.tif 000016
【図１６】
0004725317.tif 000017
【図１７】
0004725317.tif 000018
【図１８】
0004725317.tif 000019
【図１９】
0004725317.tif 000020
【図２０】
0004725317.tif 000021
【図２１】
0004725317.tif 000022
【図２２】
0004725317.tif 000023